(57)【要約】      （修正有）【課題】ジェットポンプ作用を利用して大流量の洗浄水をリム部に供給する構成としながらも、リム部から水が溢れてしまう現象を防止することのできる水洗大便器装置を提供する。【解決手段】水洗大便器装置ＦＴは、ジェットポンプユニットによってタンク２０から吐水部１３３、１３５に水が供給され、これによりタンク２０内の水位が満水位から吸引口の位置に低下するまでの過程において、第一流量の水を吐水部１３３、１３５に供給する第一工程と、第一流量よりも小さい第二流量の水を吐水部１３３、１３５に供給する第二工程と、第二流量よりも大きい第三流量の水を吐水部１３３、１３５に供給する第三工程と、を実行するように構成されており、第二工程におけるジェットポンプ作用が、第一工程及び第三工程よりも抑制されるように、ジェットポンプユニットの流路状態を切り替える。【選択図】図２
2015067968.tif 000002
【特許請求の範囲】
【請求項１】
洗浄水によって大便器本体を洗浄する水洗大便器装置であって、
汚物を受け止めるボウル部と、前記ボウル部の上縁部に形成されたリム部と、前記リム部に沿って旋回して流れるように水を吐出する吐水部と、を有する大便器本体と、
内部に水を貯留しているタンクと、
前記タンクの内部において少なくとも一部が水没した状態で配置されたジェットポンプユニットと、を備え、
前記ジェットポンプユニットは、
一端側に吸引口が形成された管であって、前記吸引口から内部に流入した水が前記吐水部に供給され、前記吐水部から洗浄水として吐出されるように配置されたスロート管と、
前記吸引口から前記スロート管の内部に向けて高速の水を噴射することにより、ジェットポンプ作用を誘発させるノズルと、を有しており、
前記ジェットポンプ作用により、前記スロート管の内部を流れる水の流量を、前記ノズルから噴射された水の流量よりも増大させて、増大した流量の水を前記吐水部に供給するものであって、
前記ジェットポンプユニットによって前記タンクから前記吐水部に水が供給され、これにより前記タンク内の水位が満水位から前記吸引口の位置に低下するまでの過程において、
第一流量の水を前記吐水部に供給する第一工程と、
前記第一工程の後に続く工程であって、前記第一流量よりも小さい第二流量の水を前記吐水部に供給する第二工程と、
前記第二工程の後に続く工程であって、前記第二流量よりも大きい第三流量の水を前記吐水部に供給する第三工程と、を実行するように構成されており、
前記第二工程における前記ジェットポンプ作用が、前記第一工程および前記第三工程における前記ジェットポンプ作用よりも抑制されるように、前記ジェットポンプユニットの流路状態を切り替える流路状態切り替え手段を更に備えていることを特徴とする水洗大便器装置。
【請求項２】
前記第三工程の時間は、最長でも前記第一工程の時間よりも短くなるよう設定されていることを特徴とする請求項１記載の水洗大便器装置。
【請求項３】
前記第三流量は、最大でも前記第一流量よりも小さい流量となるよう設定されていることを特徴とする請求項１記載の水洗大便器装置。
【発明の詳細な説明】
【技術分野】
【０００１】
本発明は、洗浄水によって大便器本体を洗浄する水洗大便器装置に関する。
【背景技術】
【０００２】
従来、大便器本体に洗浄水を供給するための機構として、タンク式や直圧式の給水機構を用いた水洗大便器装置が広く普及している。
【０００３】
タンク式の給水機構は、タンク内に予め水を貯留しておき、当該水を洗浄水として大便器本体に供給するものである。このようなタンク式の給水機構においては、洗浄水として供給する水の全てをタンク内に貯留しておく必要があるため、水洗大便器装置に搭載するタンクが大型してしまうという課題があった。
【０００４】
また、大便器本体の洗浄が完了した後は、次回の洗浄のためにタンクを満水位としておく必要があるが、大型のタンクに水を注水して満水位とするには時間がかかってしまう。このため、タンク式の給水機構では連続的な（短時間毎の）洗浄を行うことが難しく、水洗大便器装置が高い頻度で使用されるような状況には適さないという課題があった。
【０００５】
直圧式の給水機構は、建物に配置された給水配管（水道管）内の水圧を利用して、給水配管から大便器本体に洗浄水を供給するものである。このような直圧式の給水機構においては、洗浄水の流量は給水配管内の水圧に依存するため、当該水圧が低い環境（例えば高層階）に水洗大便器装置が設置された場合には、洗浄性能が低下してしまうという課題があった。また、直圧式の給水機構によって大流量の水を供給可能とするには、水洗大便器装置に接続される給水配管を大口径とする必要がある。このため、大掛かりな工事を必要とするという課題があった。
【０００６】
以上のようなタンク式の給水機構における課題、及び直圧式の給水機構における課題の両方を、同時に解決することのできる給水機構として、ジェットポンプ式の給水機構が新たに提案されている（下記特許文献１を参照）。
【０００７】
下記特許文献１に記載されたジェットポンプ式の給水機構は、水を貯留したタンクを備えており、当該タンクの内部に、ジェットポンプユニットが水没した状態で配置されている。ジェットポンプユニットはスロート管を有しており、当該スロート管の一端は大便器本体のボウル部に向かう流路に接続され、他端には開口が形成されている。噴射ノズルから、開口を通じてスロート管の内部に向かうように水が噴射されると、ジェットポンプ作用が誘発されることによって、スロート管の内部ではボウル部に向かって大流量の水が流れる。噴射ノズルから噴射された水のみならず、タンク内に貯留されていた水も引き込まれてスロート管の内部を流れるため、大便器本体には大流量の洗浄水が供給される。
【０００８】
ジェットポンプ式の給水機構においては、洗浄水として大便器本体に供給する水の全てをタンク内に貯留しておく必要がない。このため、タンク式の給水機構に比べてタンクを小型化することができる上、タンクを満水位にするために必要な時間を短くすることができるという利点がある。また、給水配管内の水圧が比較的低い環境に水洗大便器装置が設置された場合であっても、大流量の洗浄水を大便器本体に供給することができる。更に、給水配管を大口径とするような大掛かりな工事を必要としないという利点もある。
【０００９】
ところで、大便器本体のボウル部に洗浄水を供給するための構成として、ボウル部の上縁部に形成されたリム部に沿って水を旋回させ、当該水をリム部の全体（全周）からボウル部に向けて流下させるようなものが近年普及し始めている。このような構成の水洗大便器装置（以下、「旋回流型の水洗大便器装置」とも称する）は、リム部の形状が比較的単純なものとなるため、大便器本体の掃除が行いやすく好適である（下記特許文献２を参照）。
【先行技術文献】
【特許文献】
【００１０】
【特許文献１】特開２００４−１５６３８２号公報
【特許文献２】特開２０１２−２３７１２６号公報
【発明の概要】
【発明が解決しようとする課題】
【００１１】
上記のような旋回流型の水洗大便器装置にジェットポンプ式の給水機構を搭載した場合には、水道管内の水圧の変化や、タンク内の水位（位置エネルギー）の変化に影響されにくく、大流量且つ略一定流量の水がリム部に供給される。ところが、本発明者らが鋭意研究を行ったところ、ジェットポンプ式の給水機構から大便器本体（リム部）に供給される水の流量が一定であるが故に、これまでに無い新たな課題が生じることが判った。具体的には、リム部に向けて水が供給され始めた当初においてはリム部から水が溢れない程度の流量であるにも拘わらず、当該流量を保ったままリム部への水の供給が継続されると、時間の経過と共にリム部から周囲に水が溢れ始めてしまうことが判った。
【００１２】
この原因は以下のように推察される。リム部に水が供給され始めた当初においては、リム部を旋回して流れている水、すなわち、リム部に滞留している水の量が比較的少なく、新たに供給される水を受け入れる余地があるため、リム部から水が溢れてしまうことはない。しかしながら、引き続きリム部に供給される水の流量が略一定のままであっても、リム部に滞留している水の量は次第に増加して行き、新たに供給される水を受け入れる余地が少なくなっていくものと考えられる。その結果、リム部に滞留している水の量が一定量を超えた時点以降においては、リム部に対して新たに供給された水が溢れてしまうものと考えられる。
【００１３】
リム部から水を溢れさせないことだけを考慮すれば、大便器本体に供給される洗浄水の流量、すなわちリム部に沿って旋回させる水の流量を当初から小さくすればよい。しかし、リム部に沿って旋回させる水の流量を当初から小さくした場合には、全ての水がリム部の全体を旋回することができないうちにボウル部に流下し、ボウル部の一部が洗浄されなくなってしまう場合がある。また、洗浄水の流量が不足する結果、ボウル部の表面に付着した汚物が十分には除去されず、洗浄水の供給が終了した後においてもボウル部に残ってしまう場合もある。
【００１４】
本発明はこのような課題に鑑みてなされたものであり、その目的は、ボウル部の上縁部に形成されたリム部に沿って水を旋回させ、当該水をリム部全体からボウル部に向けて流下させる方式の水洗大便器装置であって、ジェットポンプ作用を利用して大流量の洗浄水をリム部に供給する構成として高い洗浄性能を確保しながらも、リム部から水が溢れてしまう現象を防止することのできる水洗大便器装置を提供することにある。
【課題を解決するための手段】
【００１５】
上記課題を解決するために、本発明に係る水洗大便器装置は、洗浄水によって大便器本体を洗浄する水洗大便器装置であって、汚物を受け止めるボウル部と、ボウル部の上縁部に形成されたリム部と、リム部に沿って旋回して流れるように水を吐出する吐水部と、を有する大便器本体と、内部に水を貯留しているタンクと、タンクの内部において少なくとも一部が水没した状態で配置されたジェットポンプユニットと、を備え、ジェットポンプユニットは、一端側に吸引口が形成された管であって、吸引口から内部に流入した水が吐水部に供給され、吐水部から洗浄水として吐出されるように配置されたスロート管と、吸引口からスロート管の内部に向けて高速の水を噴射することにより、ジェットポンプ作用を誘発させるノズルと、を有するものであって、ジェットポンプ作用は、スロート管の内部を流れる水の流量を、ノズルから噴射された水の流量よりも増大させて、増大した流量の水を吐水部に供給するものであって、ジェットポンプユニットによってタンクから吐水部に水が供給され、これによりタンク内の水位が満水位から吸引口の位置に低下するまでの過程において、第一流量の水を吐水部に供給する第一工程と、第一工程の後に続く工程であって、第一流量よりも小さい第二流量の水を吐水部に供給する第二工程と、第二工程の後に続く工程であって、第二流量よりも大きい第三流量の水を吐水部に供給する第三工程と、を実行するように構成されており、第二工程におけるジェットポンプ作用が、第一工程および第三工程におけるジェットポンプ作用よりも抑制されるように、ジェットポンプユニットの流路状態を切り替える流路状態切替手段を更に備えていることを特徴とする。
【００１６】
本発明に係る水洗大便器装置は、大便器本体のボウル部に洗浄水を供給するための機構として、内部に水を貯留しているタンクと、タンクの内部に配置されたジェットポンプユニットとを備えている。尚、大便器本体は、汚物を受け止めるボウル部の上縁部にリム部が形成されており、タンクから供給された水が当該リム部に沿って旋回して流れるような構成となっている。タンクから大便器本体に水が供給されると、当該水は、リム部に沿って旋回して流れるように大便器本体の吐水部から吐出される。リム部に沿って旋回して流れた水が、リム部全体（全周）からボウル部に向けて流下することにより、ボウル部の洗浄及び汚物の排出が行われる。
【００１７】
ジェットポンプユニットは、タンクの内部において少なくとも一部が水没した状態で配置されており、スロート管と、ノズルとを有している。スロート管は、一端側に吸引口が形成された管であって、吸引口から内部に流入した水が（他端側から）大便器本体の吐水部に供給され、吐水部から洗浄水として吐出されるように配置されている。
【００１８】
ノズルは、吸引口からスロート管の内部に向けて高速の水を噴射することにより、ジェットポンプ作用を誘発させるものである。当該ジェットポンプ作用により、吸引口にはノズルから噴射された水が流入するだけでなく、タンクに貯留されていた水も引き込まれて流入する。換言すれば、ジェットポンプ作用が生じることによって、スロート管の内部を流れる水の流量が、ノズルから噴射された水の流量よりも増大する（流量が増幅されるといってもよい）。大便器本体の吐水部には、このように増大した流量の水が供給されて、当該水が吐水部からリム部に吐出される。
【００１９】
本発明に係る水洗大便器装置では、ジェットポンプユニットによってタンクから吐水部に水が供給されている過程、すなわち、タンク内の水位が満水位から吸引口の位置（若しくはその近傍）に低下するまでの過程において、吐水部に供給する水の流量を変化させている。具体的には、第一流量の水を吐水部に供給する第一工程が実行された後、第一流量よりも小さい第二流量の水を吐水部に供給する第二工程が実行される。更に第二工程が実行された後、第二流量よりも大きい第三流量の水を吐水部に供給する第三工程が実行される。
【００２０】
また、本発明に係る水洗大便器装置は、吐水部に供給される水の流量を上記のように変化させるための手段として、流路状態切替手段を更に備えている。流路状態切替手段は、第二工程におけるジェットポンプ作用が、第一工程および第三工程におけるジェットポンプ作用よりも抑制されるように、ジェットポンプユニットの流路状態を切り替えるものである。換言すれば、ジェットポンプユニットの流路状態を切り替えることによって、ジェットポンプ作用による流量の増大量（増幅量）を第二工程において低減させるものである。
【００２１】
第一工程においては流路状態が切り替えられず、ジェットポンプ作用が抑制されないため、吐水部には大流量且つ略一定の水がジェットポンプユニットから供給される。ボウル部に付着した汚物は短時間のうちに除去されるため、吐水部から水を吐出する時間を短縮し、節水化を図ることができる。
【００２２】
また、第一工程に続く第二工程においては、流路状態切替手段によってジェットポンプ作用が抑制され、吐水部に供給される水の流量が減少する（第一流量から第二流量に変化する）。リム部に滞留している水の量が増加してリム部から水が溢れてしまう前に、吐水部に供給される水の流量を減少させることが可能となる。
【００２３】
さらに、第二工程に続く第三工程においては、流路状態切替手段によってジェットポンプ作用の抑制が解除され、吐水部に供給される水の流量が第二流量より増加する（第二流量から第三流量に変化する）。このとき、第二工程では小流量の水を吐水部に供給しているため、第二工程を所定時間実行した後は、リム部の水の滞留が抑制されている状態となっている。すなわち、リム部の水の滞留が抑制された状態であれば、再び大流量の水を吐水部に供給しても直ちに旋回水がリム部から便器外に溢れることはない。これによって、大流量の旋回水によってボウル面の洗浄性を更に向上させることが可能になる。
【００２４】
このように、本発明に係る水洗大便器装置では、吐水部に水を供給している期間の全体において、リム部から水が溢れてしまうことを確実に防止しながら、可能な限り大流量の水を吐水部に供給することができる。その結果、高い洗浄性能と節水性能を確保することができる。
【００２５】
また、本発明に係る水洗大便器装置では、第三工程の時間は、最長でも第一工程の時間よりも短くなるよう設定されていることも好ましい。
【００２６】
第三工程の開始時は、リム部の水の滞留は抑制されているものの、少なくとも水が存在している状態ではあるため、第一工程の開始時よりは溢れタイミングが早くなる。この好ましい態様では、第三工程の時間が第一工程の時間よりも短く設定されるため、第三工程での溢れを防止することができる。これによって、第三工程において、旋回水の溢れを防止しながら洗浄性能を向上させることが可能となる。
【００２７】
また、本発明に係る水洗大便器装置では、第三流量は、最大でも第一流量よりも小さい流量となるよう設定されていることも好ましい。
【００２８】
第三工程の開始時は、第二工程においてジェットポンプ作用が抑制されていた結果、リム部の水の滞留は抑制されているものの、少なくとも水が存在している状態ではある。そのため、第一工程に開始時よりは溢れタイミングが早くなる。この好ましい態様では、第三工程の流量を第一工程の流量よりも少なく設定するため、第三工程での溢れを防止することができる。
【発明の効果】
【００２９】
本発明によれば、ボウル部の上縁部に形成されたリム部に沿って水を旋回させ、当該水をリム部全体からボウル部に向けて流下させる方式の水洗大便器装置であって、ジェットポンプ作用を利用して大流量の洗浄水をリム部に供給する構成としながらも、リム部から水が溢れてしまう現象を防止することのできる水洗大便器装置を提供することができる。
【図面の簡単な説明】
【００３０】
【図１】本発明の第一実施形態に係る水洗大便器装置を示す断面図である。
【図２】図１に示した水洗大便器装置の上面図である。
【図３】図１に示した水洗大便器装置のタンクの内部を示す図である。
【図４】図３に示したタンクの内部に配置された、ジェットポンプユニットの動作を説明するための図である。
【図５】図１に示した水洗大便器装置のタンクの内部における構成を示す図である。
【図６】図１に示した水洗大便器装置の、洗浄時における動作の流れを説明するためのフローチャートである。
【図７】ジェットポンプユニットの流路状態が切り替わることにより、リム部に供給される水の流量が変化することを説明するための図である。
【図８】リム部に供給される水の流量の変化を示すグラフである。
【図９】本発明の第二実施形態に係る水洗大便器装置の、ジェットポンプユニットの構成及び動作を説明するための図である。
【図１０】本発明の第三実施形態に係る水洗大便器装置の、ジェットポンプユニットの構成を説明するための図である。
【図１１】本発明の第四実施形態に係る水洗大便器装置の、ジェットポンプユニットの構成を説明するための図である。
【図１２】リム部に供給される水の流量の変化を示すグラフである。
【発明を実施するための形態】
【００３１】
以下、添付図面を参照しながら本発明の実施の形態について説明する。説明の理解を容易にするため、各図面において同一の構成要素に対しては可能な限り同一の符号を付して、重複する説明は省略する。
【００３２】
本発明の第一実施形態に係る水洗大便器装置について、図１及び図２を参照しながら説明する。図１は水洗大便器装置ＦＴの断面図であって、水洗大便器装置ＦＴをその左右方向に垂直な面で切断した場合の断面を示している。図２は水洗大便器装置ＦＴの上面図である。図２では、後に説明するタンク２０の内部構造を示すため、タンク２０の上蓋２０１を取り外した状態を描いている。
【００３３】
図１及び図２に示したように、水洗大便器装置ＦＴは、大便器本体１０と、大便器本体１０の後方側（図１では右側、図２では上側）において大便器本体１０の上面１０１に設置されたタンク２０とを備えている。水洗大便器装置ＦＴは、大便器本体１０によって汚物を受け止めて、当該汚物を、タンク２０から供給される水（洗浄水）によって排水管ＳＷに排出する装置である。
【００３４】
尚、以下の説明においては、特に断らない限り、大便器本体１０に着座した状態の使用者から見て右側（図２では左側）のことを「右側」と称し、大便器本体１０に着座した状態の使用者から見て左側のことを「左側」（図２では右側）と称することとする。また、大便器本体１０に着座した状態の使用者から見て前方側（図１では左側、図２では下側）のことを「前側」又は「前方側」と称し、大便器本体１０に着座した状態の使用者から見て後方側（図１では右側、図２では上側）のことを「後側」又は「後方側」と称することとする。
【００３５】
大便器本体１０は、ボウル部１１０と、リム部１２０と、導水路１３０と、排水トラップ管路１４０とを有している。ボウル部１１０は、上方から落下する汚物を一時的に受け止める部分である。リム部１２０は、ボウル部１１０の上縁部に形成されており、図１に示したように、ボウル部１１０の内側面の一部を外周側に向けて後退させたような形状となっている。後に説明するように、リム部１２０は、ボウル部１１０に向けて供給された水が旋回して流れる流路となっている。リム部１２０は、ボウル部１１０の上縁に沿って一周するような略円形（上面視）の流路として形成されている。
【００３６】
導水路１３０は、タンク２０から供給された水をボウル部１１０に導くために、大便器本体１０の内部に形成された流路である。導水路１３０は、その一端が大便器本体１０の上面１０１に開口しており、タンク２０から供給される水の入口１３１となっている。入口１３１が形成されている位置は、大便器本体１０の上面１０１のうち後方側の部分であり、且つ左右方向における中央の部分である。
【００３７】
導水路１３０は、その下流側において二つの流路（第一導水路１３２、第二導水路１３４）に分岐している。一方の流路である第一導水路１３２は、その下流側の端部がリム部１２０のうち右側の部分において開口しており、当該開口が水の出口（吐水部１３３）となっている。タンク２０から入口１３１に水が供給されると、その一部は第一導水路１３２の内部を通り、吐水部１３３から噴出してリム部１２０に供給される。
【００３８】
他方の流路である第二導水路１３４は、その下流側の端部がリム部１２０のうち左側且つ後方寄りの部分において開口しており、当該開口が水の出口（吐水部１３５）となっている。タンク２０から入口１３１に水が供給されると、その一部は第二導水路１３４の内部を通り、吐水部１３５から噴出してリム部１２０に供給される。
【００３９】
吐水部１３３から水が噴出する方向は、略円形の流路として形成されたリム部１２０の円周に沿う方向であり、且つ上面視において反時計回りの方向となっている。吐水部１３５から水が噴出する方向も、略円形の流路として形成されたリム部１２０の円周に沿う方向であり、且つ上面視において反時計回りの方向となっている。図２において矢印で示したように、吐水部１３３及び吐水部１３５からリム部１２０に噴出した水は、いずれもリム部１２０に沿って反時計回りに旋回して流れながら、リム部１２０の全体からボウル部１１０に向けて流下する。
【００４０】
排水トラップ管路１４０は、ボウル部１１０の下端と排水管ＳＷとを接続する流路である。排水トラップ管路１４０は、ボウル部１１０の下端から下流に向かう方向に沿って上り勾配となるように形成されている上昇流路１４１と、上昇流路１４１の上端から下流に向かう方向に沿って下り勾配となるように形成されている下降流路１４２とを有している。このような構成により、ボウル部１１０の下部から上昇流路１４１の下部に亘る部分には水を貯留することが可能となっており、貯留した水によって封水ＷＴが形成されている。下降流路１４２の下端には排水管ＳＷが接続されている。排水管ＳＷは建物の内部に配置された配管であって、その下流側の端部が不図示の下水管に接続されている。
【００４１】
タンク２０からボウル部１１０に向けて水が供給されると、上記のように、当該水はリム部１２０を旋回して流れながら、リム部１２０の全体からボウル部１１０に向けて流下する。水はボウル部１１０に対して上方から追加され、ボウル部１１０の下端部から上昇流路１４１及び下降流路１４２を通って排出される。その結果、ボウル部１１０に貯留されている水（封水ＷＴ）には下向きの流れが生じることとなる。
【００４２】
ボウル部１１０において一時的に受け止められていた汚物は、上方のリム部１２０から供給される水によって下方に向けて押し込まれ、ボウル部１１０の下端に向かって移動する。その後、汚物は水流によって上昇流路１４１を通り下降流路１４２に到達して、水と共に排水管ＳＷに向けて落下する。
【００４３】
タンク２０は内部に水が貯留された容器であって、当該水を導水路１３０の入口１３１に供給するためのものである。タンク２０は、第一タンク部２１０と、第一タンク部２１０の底壁２１１の一部を下方に伸ばすように形成された第二タンク部２２０とを有している。第一タンク部２１０と第二タンク部２２０はいずれも略直方体の容器であって、両者の内部空間が互いに連通している。第二タンク部２２０は、第一タンク部２１０の底壁２１１のうち後方側の部分に接続されている。
【００４４】
第一タンク部２１０の底壁２１１（第二タンク部２２０よりも前方側の部分）は、大便器本体１０の上面１０１のうち後方側の部分に対して上方から近接した状態となっている。具体的には、大便器本体１０の上面１０１のうち後方側の部分には入口１３１が形成されているが、第一タンク部２１０の底壁２１１は、入口１３１の周囲を上方から覆うように、大便器本体１０の上面１０１に対して上方から近接した状態となっている。また、底壁２１１には入口１３１と略同一形状の開口２１２が形成されており、開口２１２と入口１３１とが上面視で重なっている。このため、タンク２０の内部に貯留されている水は、開口２１２及び入口１３１を通って導水路１３０の内部に流入し、ボウル部１１０に向かって流れることが可能となっている。
【００４５】
第一タンク部２１０を上記のように配置した結果、第二タンク部２２０は大便器本体１０よりも後方に位置している。すなわち、大便器本体１０の後方側端部よりも更に後方側に位置した状態となっている。また、第二タンク部２２０の底壁２２１は、大便器本体１０の上面１０１よりも低い位置に配置されている。
【００４６】
上記のようにタンク２０が配置されることにより、タンク２０の前端部が、大便器本体１０の後端部よりも前方側に位置している。また、タンク２０の下端部が、大便器本体１０の上面１０１よりも下方側に位置している。その結果、水洗大便器装置ＦＴ全体の前後方向における寸法と、上下方向における寸法とが、いずれも小さくなっており、水洗大便器装置ＦＴのデザイン性が向上している。
【００４７】
次に、タンク２０の内部の構成について説明する。図３は、水洗大便器装置ＦＴを後方側から見た場合における、タンク２０の内部を示す斜視図である。図３に示したように、タンク２０の内部には、給水管２３１と、主弁２３３と、パイロット弁２３４と、ジェットポンプユニット３００とが配置されている。
【００４８】
給水管２３１は、主弁２３３に向けて水を供給するための管であって、第二タンク部２２０の底壁２２１から鉛直上方に向かって伸びるように配置されている。給水管２３１の下端は、タンク２０の外部において不図示の水道管に接続されている。また、給水管２３１の上端は、タンク２０の内部において主弁２３３に下方から接続されている。給水管２３１は、タンク２０の内部のうち左右方向における中央よりも左側となる位置に配置されている。
【００４９】
給水管２３１の途中（水道管と主弁２３３との間）には、図３では図示しない定流量弁２３２が配置されている。主弁２３３が開いた状態において主弁２３３に流入する水の流量は定流量弁２３２によって一定となり、水道管内の水圧によって変動することがない。
【００５０】
主弁２３３は開閉弁であって、給水管２３１からジェットポンプユニット３００に向かう水の流路の開閉を行うものである。主弁２３３とジェットポンプユニット３００との間にはバキュームブレーカー２３５が備えられており、バキュームブレーカー２３５の上流側が負圧となって水が逆流してしまうことが防止されている。尚、上記のように給水管２３１が上方に向かって伸びており、主弁２３３とバキュームブレーカー２３５とはタンク２０内の高い位置に配置されている。このため、タンク２０の水位が満水位となった状態においても、バキュームブレーカー２３５が水没してしまうことはない。
【００５１】
主弁２３３にはパイロット弁２３４が備えられており、パイロット弁２３４の動作によって主弁２３３の開閉が切り替えられる構成となっている。パイロット弁２３４には、タンク２０の外側に配置された手動レバー２３６が、タンク２０の内部に配置された伝達機構２３７を介して接続されている。また、パイロット弁２３４には、タンク２０の内部に配置されたフロート２３８が更に接続されている。
【００５２】
水洗大便器装置ＦＴの使用者によって手動レバー２３６が操作されると、当該操作が伝達機構２３７を介してパイロット弁２３４に伝達され、パイロット弁２３４が開かれる。これにより主弁２３３が開かれた状態となり、給水管２３１からジェットポンプユニット３００に向かって水が流れる。後に説明するように、ジェットポンプユニット３００に向かって流れた水は、タンク２０の内部に貯留されていた水と共に洗浄水として導水路１３０に供給される。このため、タンク２０の内部における水位は次第に低下していく。
【００５３】
ボウル部１１０の洗浄が終了した後も、主弁２３３は閉じられず、給水管２３１からジェットポンプユニット３００に向かって引き続き水が流れる。ジェットポンプユニット３００に向かって流れた水はタンク２０の内部に供給されて、次回の洗浄のために貯留される。タンク２０の内部に向けた水の供給（タンク２０への注水）が行われると、タンク２０の内部における水位は次第に上昇して行く。タンク２０の内部においてパイロット弁２３４に接続されているフロート２３８は、水位の上昇に伴って上昇し、これによりパイロット弁２３４が閉じられる。
【００５４】
このように、タンク２０の内部における水位が上昇すると、フロート２３８が受ける浮力の変化によってパイロット弁２３４が閉じられる。パイロット弁２３４が閉じられると、主弁２３３が閉じられた状態となり、給水管２３１からジェットポンプユニット３００への水の供給が停止される。この時点においてタンク２０の内部に貯留されている水の量が、次回の洗浄のために必要な量となるように（所定の満水位となるように）、フロート２３８の配置が調整されている。
【００５５】
ジェットポンプユニット３００は、給水管２３１から供給された水によりジェットポンプ作用を誘発させ、これにより導水路１３０に向けた水の供給を行うためのものである。ジェットポンプユニット３００は、ノズル３１０と、スロート管３２０とを有している。
【００５６】
ノズル３１０は、一端が接続管２３９を介してバキュームブレーカー２３５に接続されており、他端には噴射口３１１が形成されている管である。ノズル３１０は、第二タンク部２２０の底壁２２１の近傍に配置されている。主弁２３３が開かれると、給水管２３１から供給された水は接続管２３９を流れてノズル３１０に到達し、噴射口３１１から高速の水流として噴射される。ノズル３１０は、第二タンク部２２０のうち後方側且つ右側の隅（上面視における隅）に配置されている。図３に示したように、ノズル３１０はＵ字形状となっており、その下流側が上記隅から折り返されている。噴射口３１１は、その噴射方向がスロート管３２０の内部に向けられている。
【００５７】
スロート管３２０は断面が円形の管であって、底壁２１１に形成された開口２１２を一部が貫通した状態で、タンク２０の内部に配置されている。スロート管３２０の一端は導水路１３０の入口１３１に接続されており、他端には開口である吸引口３２１が形成されている。スロート管３２０は、導水路１３０の入口１３１側の部分が鉛直方向に沿っており、吸引口３２１側の部分が水平面に対して傾斜している。このため、その全体が逆Ｕ字形状となっている。図２に示したように、スロート管３２０は、上面視において前後方向に対して傾斜した状態で、タンク２０の内部に配置されている。
【００５８】
スロート管３２０の具体的な形状について更に詳しく説明する。スロート管３２０は、吸引口３２１から斜め上方に向けて伸びる上昇部３２２と、上昇部３２２の下流側（上側）に配置された屈曲部３２３と、屈曲部３２３の下流側（下側）に配置され、屈曲部３２３から下方に向かって伸びる下降部３２４とを有している。
【００５９】
上昇部３２２は、その管径が全体において均一な円筒形状の管であって、水平面に対して傾斜した状態で配置されている。吸引口３２１は上昇部３２２の下端に形成されている。吸引口３２１は、その縁の全体が水平面に沿うように（水平面と平行になるように）形成されている。
【００６０】
下降部３２４は、その管径が全体において均一な円筒形状の管であって、鉛直方向に沿って配置されている。下降部３２４の管径は、上昇部３２２の管径よりも大きい。屈曲部３２３のうち上昇部３２２側の管径は、上昇部３２２の管径に等しい。また、屈曲部３２３のうち下降部３２４側の管径は、下降部３２４の管径に等しい。このため、管径が互いに異なる上昇部３２２と下降部３２４とが、屈曲部３２３によって滑らかに繋がれているということができる。
【００６１】
上昇部３２２のうち、その流路方向に沿って略中央となる位置には、流路状態切替手段３３０が設けられている。本実施形態では、流路状態切替手段３３０として、空気導入管３３１が上昇部３２２に接続されている。空気導入管３３１は、鉛直方向に沿って配置された円筒形状の管である。空気導入管３３１の下端は上昇部３２２の上面側に接続されており、空気導入管３３１の内部空間と上昇部３２２の内部空間とが連通している。空気導入管３３１の上端には導入口３３２が開口形成されており、導入口３３２から流入した空気又は水が、空気導入管３３１を通って上昇部３２２の内部空間に流入し得る構成となっている。導入口３３２の位置（高さ）は、タンク２０の水位が満水位であるときには水没するような位置となっている。また、吸引口３２１よりも高い位置となっている。空気導入管３３１の略中央となる位置には、切替栓３３３が導入口３３２から空気が混入するのを防ぐように設けられている。切替栓３３３は、制御部３３４と接続し、水位センサ３３５が測定した水位に応じて開閉が制御される。
【００６２】
図４を参照しながら、ジェットポンプユニット３００の構成及び動作について更に説明する。図４（Ａ）は、タンク２０内の水位が吸引口３２１よりも高い（例えば満水位）ときにおいてノズル３１０から水が噴射され、これによりジェットポンプ作用が誘発されている状態を模式的に示したものである。
【００６３】
主弁２３３が開かれて、ノズル３１０の噴射口３１１から水が噴射されると、噴射された高速の水が上昇部３２２の内部に向かって流れる。上昇部３２２のうち下側の部分及びノズル３１０は、タンク２０内に貯留されている水の内部に水没している。このため、タンク２０内に貯留されている水は、噴射口３１１から噴射された高速の水流によって上昇部３２２の内部に引き込まれて、導水路１３０に向かって流れる。このようなジェットポンプ作用が誘発される結果、スロート管３２０の内部では、ノズル３１０の噴射口３１１から噴射された水だけでなく、吸引口３２１の周囲から引き込まれた水も流れる。これらが導水路１３０を流れて、洗浄水として吐水部１３３、１３５からリム部１２０に供給される。
【００６４】
このように、水洗大便器装置ＦＴにおいては、ノズル３１０の噴射口３１１から噴射される水の流量よりも、リム部１２０に供給される水の流量の方が大きくなっている。換言すれば、ノズル３１０の噴射口３１１から噴射される水の流量が小さくても、洗浄水として十分な流量の水がリム部１２０に供給される。このため、水道管の水圧が小さい低い環境に水洗大便器装置ＦＴが設置された場合であっても、十分な洗浄性能を発揮することができる。
【００６５】
また、洗浄水としてリム部１２０（及びボウル部１１０）に供給される水の総量は、タンク２０の内部に予め貯留されていた水の量に、ノズル３１０の噴射口３１１から噴射された水の量を加えたものとなる。全ての洗浄水をタンク２０の内部に貯留しておく必要がないため、タンク２０は小型化されており、そのデザイン性が向上している。
【００６６】
ところで、タンク２０に貯留されている水のうち、吸引口３２１よりも下の部分に存在する水は、吸引口３２１からスロート管３２０の内部に供給されない。その結果、タンク２０の内部に残水として残ってしまう。しかし、図３等に示したように、ノズル３１０及び吸引口３２１はいずれも（狭い）第二タンク部２２０の内部に配置されている。このため、吸引口３２１よりも下の部分で残ってしまう残水の量は、比較的少なくなっている。
【００６７】
このような構成により、水洗大便器装置ＦＴでは、リム部１２０対する水の供給が終了した時点における残水の量を少なくしている。その結果、タンク２０の内部空間のうち殆どの部分を、リム部１２０対して供給される水（残水とならない水）を貯留するための空間として利用することが可能となっており、タンク２０の大型化が抑制されている。
【００６８】
上昇部３２２の下端近傍、すなわち吸引口３２１の近傍には、流路切替部材３５０が取り付けられている。流路切替部材３５０は棒状の部材であって、その長手方向に沿った一端にはフロート３５１を有しており、他端には切り替え板３５２を有している。尚、流路切替部材３５０は、先に参照した図３等においては図示を省略していたものである。
【００６９】
流路切替部材３５０は、フロート３５１と切り替え板３５２との間の部分が、上昇部３２２の下端近傍に対して回転自在な状態で取り付けられている。図４（Ａ）に示したように、タンク２０内の水位が吸引口３２１よりも高いときにおいては、フロート３５１に加わる浮力によって流路切替部材３５０が回転する。具体的には、フロート３５１が上方に移動し、切り替え板３５２が下方に移動して、それぞれ図４（Ａ）に示した位置で停止する。
【００７０】
図４（Ａ）の状態においては、ノズル３１０から噴射された水は、切り替え板３５２には直接当たることなく上昇部の内部に流入する。その結果、既に説明したようなジェットポンプ作用が誘発され、洗浄水としての水がリム部１２０に供給される。
【００７１】
その後、タンク２０内の水がリム部１２０に供給されることにより、タンク２０内の水位は次第に低下していく。
【００７２】
図４（Ｂ）は、タンク２０内の水位が吸引口３２１の近傍まで低下し、リム部１２０への水の供給が停止した状態を模式的に示したものである。タンク２０内の水位が吸引口３２１の近傍まで低下すると、フロート３５１に加わる浮力は小さくなる。このため、図４（Ｂ）に示したように、フロート３５１が下方に移動するように流路切替部材３５０が回転する。切り替え板３５２は上方に移動して、ノズル３１０から噴射された水が切り替え板３５２に直接当たるようになる。
【００７３】
切り替え板３５２のうち噴射口３１１に対向する面は、凹状に湾曲した形状となっている。ノズル３１０から噴射された水が当該面に当たると、水は当該面に沿って流れて、その進行方向を略９０度変化させる。その結果、ノズル３１０から噴射された水は上昇部３２２の内部には流入せず、次回の洗浄のための水としてタンク２０に貯留される。このように、流路切替部材３５０は、ノズル３１０から噴射された水の供給先を、リム部１２０（大便器本体１０）からタンク２０へと切り替えるためのものである。
【００７４】
図５は、タンク２０の内部における構成を模式的に示している。既に説明したように、タンク２０の内部には、給水管２３１と、主弁２３３と、ジェットポンプユニット３００と、流路状態切替手段３３０とが配置されている。
【００７５】
ボウル部１１０の洗浄が行われていない状態（待機状態）においては、タンク２０の水位は満水位となっている。水洗大便器装置ＦＴの使用者によって手動レバー２３６が操作されると、既に説明したように主弁２３３が開かれた状態となり、ノズル３１０の噴射口３１１から水が噴射される（図５の矢印ＡＲ１）。タンク２０の内部に貯留されていた水は、スロート管３２０の内部に引き込まれて（図５の矢印ＡＲ２）、洗浄水としてリム部１２０に供給される（図５の矢印ＡＲ３）。
【００７６】
リム部１２０への水の供給が終了すると、ノズル３１０からの水の供給先が流路切替部材３５０によって切り替えられて、タンク２０への注水が開始される（図５の矢印ＡＲ４）。タンク２０内の水位は次第に上昇して行き、満水位となった時点でフロート２３８によりパイロット弁２３４が閉じられる。これと同時に主弁２３３が閉じられることによりタンク２０への注水が終了し、待機状態に戻る。
【００７７】
タンク２０の内部におけるその他の構成について、再び図３を参照しながら説明する。図３に示したように、タンク２０の内部にはスロート管３２０の下降部３２４を囲むような隔壁２４０が配置されている。隔壁２４０は、底壁２１１から上方に向かって伸びるように形成されている。隔壁２４０、タンク２０の前側壁面２１３、左側壁面２１４、及び第一タンク部２１０の底壁２１１によって、タンク２０の内部空間の一部が区画され、小タンク２６０が構成されている。小タンク２６０は、その上部がタンク２０の内部に開放された容器であって、第一タンク部２１０のうち前方側且つ左側の隅に配置されている。スロート管３２０は、下降部３２４の下端部分が小タンク２６０の内側に配置されている。また、吸引口３２１が小タンク２６０の外側に配置されている。
【００７８】
隔壁２４０のうち下端部近傍には開閉窓２４１が設けられている。開閉窓２４１は通常は開かれた状態となっており、開閉窓２４１を通じて小タンク２６０の内部と外部（隔壁２４０よりも後方側の空間）とが連通している。このため、ボウル部１１０の洗浄が行われていない状態（待機状態）においては、タンク２０内に貯留された水の水位と、小タンク２６０内に貯留された水の水位は等しくなっている。
【００７９】
手動レバー２３６は二つの方向（大方向、小方向）に操作することが可能となっている。手動レバー２３６が大方向に操作された場合には、開閉窓２４１が開かれた状態のまま、パイロット弁２３４及び主弁２３３が開かれる。小タンク２６０に貯留されていた水は、開閉窓２４１を通過して第二タンク部２２０に流出し、吸引口３２１に到達する。このため、タンク２０の内部に貯留されていた水は、小タンク２６０に貯留されていた分を含む殆どが、スロート管３２０の内部に引き込まれてリム部１２０に供給される。
【００８０】
一方、手動レバー２３６が小方向に操作された場合には、開閉窓２４１が閉じられると同時にパイロット弁２３４及び主弁２３３が開かれる。このため、タンク２０の内部に貯留されていた水のうち小タンク２６０に貯留されていた水は、開閉窓２４１を通過することができずに小タンク２６０の内部に残留したままとなる。その結果、洗浄水としてリム部１２０に供給される水の量は少量となる。
【００８１】
尚、以下の説明において「タンク２０に貯留されている水の水位」又は「タンク２０内の水位」等というときには、小タンク２６０の外部における水位を示すものとする。すなわち、隔壁２４０によって二つに分けられた空間のうち、吸引口３２１が配置されている方の空間に貯留されている水の水位を示すものとする。小タンク２６０に貯留されている水の水位については、以下の説明では考慮しない。
【００８２】
続いて、リム部１２０へ洗浄水として供給される水の流量（吐水部１３３、１３５に供給される水の流量といってもよい）について、図６乃至８を参照しながら説明する。図６は、水洗大便器装置ＦＴの、洗浄時における動作の流れを説明するためのフローチャートである。図７は、リム部１２０に供給される水の流量が変化することを説明するための図であって、ジェットポンプユニット３００の流路状態が切り替わる様子を模式的に示している。図８は、リム部１２０に供給される水の流量の変化を示すグラフである。
【００８３】
まず、水洗大便器装置ＦＴの使用者によって手動レバー２３６が操作されると（ステップＳ０１）、ノズル３１０から水が噴射され、既に説明したようにジェットポンプ作用によってリム部１２０に水が供給される（ステップＳ０２）。
【００８４】
図７（Ａ）は、リム部１２０に水が供給され始めた直後における、ジェットポンプユニット３００の流路状態を模式的に示している。タンク２０内の水位は満水位から低下し始めているが、空気導入管３３１の導入口３３２は切替栓３３３によって塞がれている。
【００８５】
スロート管３２０の内部においては、ノズル３１０の噴射口３１１から噴射された水だけでなく、吸引口３２１の周囲から引き込まれた水も流れる。その結果、ジェットポンプ作用による大流量の水がリム部１２０へ洗浄水として供給される。
【００８６】
ノズル３１０からの水の噴射が開始されてから、タンク２０内の水位が低下して水位センサ３３５が、導入口３３２よりも低い所定の水位（このときの水位を、以下では「第一水位」とも称する）を検出するまでの期間においては、上記のように大流量の水がリム部１２０に供給される。当該期間においてジェットポンプユニット３００から大流量の水が供給される工程を、以下では「第一工程」とも称する（ステップＳ０３）。
【００８７】
タンク２０内の水位が第一水位まで低下すると、上記の第一工程は終了する（ステップＳ０４）。このとき、上昇部３２２の内部（空気導入管３３１の下端部近傍）において水流による負圧が生じている。更に、導入口３３２が水面上に現れている（切替栓３３３で塞がれていない）ため、制御部３３４が切替栓３３３を開くことで、導入口３３２からは空気が流入するようになる。
【００８８】
図７（Ｂ）は、このときにおけるジェットポンプユニット３００の流路状態を模式的に示している。ノズル３１０からは継続して水が噴射されており、スロート管３２０の内部ではジェットポンプ作用による水流が生じてはいるが、当該水流には空気導入管３３１から流入した空気が混入している。
【００８９】
その結果、図７（Ａ）に示した状態と比較すると、スロート管３２０の内部に混入した空気がジェットポンプ作用を抑制するため、図７（Ｂ）においてはスロート管３２０の内部を流れる水の流量が低下している。すなわち、リム部１２０に供給される水の流量が、第一工程における流量よりも低下している。このように、第一工程が終了した後、（ジェットポンプ作用が抑制されて）低下した流量の水が洗浄水としてリム部１２０に供給される工程を、以下では「第二工程」とも称する（ステップＳ０５）。
【００９０】
第二工程は、第一工程が終了した後、タンク２０内の水位が更に低下して、水位センサ３３５が第一水位より低く吸引口３２１より高い水位（このときの水位を、以下では「第二水位」とも称する）を検出するまでの期間継続される。当該期間においては、（ジェットポンプ作用が抑制されて）低下した流量の水が洗浄水としてリム部１２０に供給される。
【００９１】
タンク２０内の水位が第二水位まで低下すると、上記の第二工程は終了する（ステップＳ０６）。このとき、制御部３３４は、再度、切替栓３３３を閉じることで、空気導入管３３１が塞がれる。これによって、導入口３３２からの空気の混入が停止する。
【００９２】
図７（Ｃ）は、このときにおけるジェットポンプユニット３００の流路状態を模式的に示している。ノズル３１０からは継続して水が噴射されており、吸引口３２１ｃの近傍ではジェットポンプ作用による水流が生じ、さらに空気導入管３３１からの空気の混入は防がれている。
【００９３】
その結果、図７（Ｂ）に示した状態と比較すると、ジェットポンプ作用の抑制が解除されたことによって、図７（Ｃ）においてはスロート管３２０の内部を流れる水の流量が第二工程に比べて増加している。すなわち、リム部１２０に供給される水の流量が、第二工程における流量よりも増加している。このように、第二工程が終了した後、（ジェットポンプ作用の抑制が解除されて）第二工程よりも増加した流量の水が洗浄水としてリム部１２０に供給される工程を、以下では「第三工程」とも称する（ステップＳＳ０７）。第三工程は、タンク２０内の水位が更に低下して、流路切替部材３５０が図４（Ｂ）に示した状態となるまで継続される（ステップＳ０８、Ｓ０９）。
【００９４】
尚、流路切替部材３５０のフロート３５１に加わる浮力が小さくなり、流路切替部材３５０が回転して図４（Ｂ）に示した状態となる際におけるタンク２０内の水位を、以下では「第三水位」とも称する。すなわち、第三水位とは、リム部１２０に対する洗浄水の供給が停止される際における、タンク２０内の水位である。
【００９５】
第三工程が終了すると、既に説明したようにノズル３１０からは水が継続して噴射され、タンク２０内への水の貯留が行われる（ステップＳ１０）。タンク２０内の水位が上昇して、満水位となると、ノズル３１０からの水の噴射が停止され、タンク２０内への水の貯留が停止される（ステップＳ１１、Ｓ１２）。
【００９６】
尚、ボウル部１１０の洗浄が行われた後において、封水ＷＴを形成するための水（リフィル水）をジェットポンプユニット３００からリム部１２０に追加供給する構成としてもよい。このようなリフィル水の供給は、第三工程が終了した時点（ステップＳ０７の直後）、又はタンク２０内への水の貯留が停止した時点（ステップＳ１０の直後）のいずれかのタイミングにおいて、開始することが望ましい。第三工程が終了した時点でリフィル水の供給を開始する場合には、タンク２０内への水の貯留と、リム部１２０へのリフィル水の追加とが同時に行われることとなる（ステップＳ１３）。
【００９７】
図８は、第一工程の開始時点（時刻ｔ０）から第三工程の終了時点（ｔ３００）までの期間における、リム部１２０に供給される水の流量の変化を示している。すなわち、ボウル部１１０の洗浄が行われている期間において、リム部１２０に供給される洗浄水の流量の変化を示している。同図においては、第一工程から第二工程に切り替わる時刻、すなわち、タンク２０内の水位が第一水位となる時刻を時刻ｔ１００としている。また、第二工程から第三工程に切り替わる時刻、すなわち、タンク２０内の水位が第二水位となる時刻を時刻ｔ２００としている。さらに、第一工程の所要時間をＴ1、第三工程の所要時間をＴ2としている。
【００９８】
また、ノズル３１０から噴射される水の流量をＱjetと表記し、ジェットポンプ作用によって吸引口３２１に引き込まれる水（タンク２０内からスロート管３２０の内部に引き込まれる水）の流量をＱtankと表記している。
【００９９】
既に説明したように、時刻ｔ０から時刻ｔ１００までの第一工程においては、ジェットポンプ作用による大流量の水がリム部１２０に供給される。図８に示したように、リム部１２０に到達する水の流量は、流量Ｑjetと流量Ｑtankとの和となっている。換言すれば、流量Ｑjetがジェットポンプ作用によって増幅された流量となっている。
【０１００】
時刻ｔ１００から時刻ｔ２００までの第二工程においては、第一工程と同様に、ジェットポンプ作用によって増幅された流量の水がリム部１２０に到達する。しかし、第二工程においては、スロート管３２０の内部に気泡が混入することによってジェットポンプ作用が抑制された状態となっている。つまり、ノズル３１０から噴射される水の流量Ｑjetは、第二工程に切り替わった後も変わらず一定のままであるが、吸引口３２１に引き込まれる水の流量Ｑtankは、第二工程に切り替わると同時に小さくなっている。その結果、ジェットポンプユニット３００からリム部１２０に供給される水の流量（流量Ｑjetと流量Ｑtankとの和）は、時刻ｔ１００を境に急激に小さくなっている。
【０１０１】
時刻ｔ２００から３００までの第三工程においても、第一工程と同様に、ジェットポンプ作用によって増幅された流量の水がリム部１２０に到達する。第三工程においては、空気導入管３３１は切替栓３３３によって塞がれているため、スロート管３２０の内部に気泡は混入せず、第二工程において行われていたジェットポンプ作用の抑制は解除された状態となっている。その結果、ジェットポンプユニット３００からリム部１２０に供給される水の流量は、時刻ｔ２００を境に大きくなっている。
【０１０２】
ボウル部１１０の洗浄が行われている期間の途中で、リム部１２０に供給される水の流量を上記のように小さくする理由について説明する。図８において一点鎖線で示した線ＯＬ1は、第一工程においてリム部１２０に供給される流量と、（当該流量を保ったまま第一工程を継続した場合において）リム部１２０から水が溢れてしまう時刻との関係を示している。
【０１０３】
吐水部１３３、１３５から水が噴出し、リム部１２０に水が供給され始めた当初においては、リム部１２０を旋回して流れている水、すなわち、リム部１２０に滞留している水の量は比較的少ない。このため、リム部１２０には新たに供給される水を受け入れる余地があり、リム部１２０から水が溢れてしまうことはない。
【０１０４】
しかしながら、引き続きリム部１２０に供給される水の流量が略一定のままであっても、リム部１２０に滞留している水の量は次第に増加して行き、新たに供給される水を受け入れる余地が少なくなっていく。その結果、リム部１２０に滞留している水の量が一定量（以下、「限界量」とも称する）を超えた時点以降においては、リム部１２０に対して新たに供給された水が溢れてしまうことがある。
【０１０５】
第一工程において、リム部１２０に供給される水の流量が比較的大きい場合には、リム部１２０に滞留している水の量は素早く増加するため、早期に限界量に達する。逆に、リム部１２０に供給される水の流量が比較的小さい場合には、リム部１２０に滞留している水の量はゆっくりと増加するため、限界量に達するまでには長時間を要する。従って、リム部１２０に供給される水の流量と、リム部１２０に滞留している水の量が限界量を超える時刻との関係は、図８の線ＯＬ1で示したように右肩下がりの曲線となる。
【０１０６】
図８に示した点線ＶＬ1は、仮に、時刻ｔ１００において第二工程への切り替えが行われず、第一工程が継続されることとした場合において、リム部１２０に供給される水の流量を示す線である。このように第一工程を継続した場合には、点線ＶＬ1は時刻ｔ１００を超えた直後の時刻ｔ１２０において、線ＯＬ1と重なることとなる。つまり、仮に第二工程への切り替えが行われない場合には、時刻ｔ１２０においてリム部１２０から水が溢れてしまうこととなる。
【０１０７】
そこで、本実施形態においては、リム部１２０から水が溢れてしまうよりも前の時点（時刻ｔ１２０よりも早い時刻ｔ１００）で、リム部１２０に供給される水の流量を急激に減少させることにより、リム部１２０から水が溢れてしまうことを防止している。具体的には、ジェットポンプ作用による水流に対して空気を混入させ、ジェットポンプユニット３００の流路状態を変化させることによってジェットポンプ作用を抑制する構成となっている。換言すれば、リム部１２０から水が溢れてしまう直前のタイミングにおいて導入口３３２から空気が導入されるように（ジェットポンプ作用が抑制されるように）、空気導入管３３１の長さと、制御部３３４が切替栓３３３を開く水位とが調整されている。
【０１０８】
時刻ｔ０から時刻ｔ１００までの第一工程においては、タンク２０内で導入口３３２が水没し更に切替栓３３３が閉じている。このため、ジェットポンプ作用は抑制されず、リム部１２０（吐水部１３３、１３５）には大流量且つ略一定の水がジェットポンプユニット３００から供給される。ボウル部１１０に付着した汚物は短時間のうちに除去されるため、吐水部１３３、１３５から水を吐出する時間を短縮し、節水化を図ることが可能となっている。
【０１０９】
また、時刻ｔ１００から時刻ｔ２００までの第二工程においては、タンク２０内で導入口３３２が水没しておらず、更に切替栓３３３が開いている。このため、空気導入管３３１から混入する気泡によってジェットポンプ作用が抑制され、リム部１２０に供給される水の流量が減少する。これにより、リム部１２０に滞留している水の量が増加してリム部１２０から水が溢れてしまう前に、リム部１２０に供給される水の流量を減少させる構成となっている。このように、空気導入管３３１と切替栓３３３とは、ジェットポンプ作用を抑制するようにジェットポンプユニット３００の流路状態を切り替える「流路状態切替手段」として機能する。
【０１１０】
同様に、第三工程において、リム部１２０に供給される水の流量と、リム部１２０に滞留している水の量が限界を超える時間との関係は、図８の線ＯＬ2で示したように右肩下がりの曲線となる。また、点線ＶＬ2は、仮に時刻ｔ３００において第三工程が終了せず継続されることとした場合において、リム部１２０に供給される水の流量を示す線である。このように第三工程を継続した場合には、点線ＶＬ2は、時刻ｔ３００を超えた直後の時刻ｔ３２０において、線ＯＬ2と重なることとなる。つまり、仮にノズル３１０から噴射された水の供給先の切り替えが行われない場合には、時刻ｔ３２０においてリム部１２０から水が溢れてしまうこととなる。
【０１１１】
そこで、本実施形態においては、リム部１２０から水が溢れてしまうよりも前の時点（時刻ｔ３２０よりも早い時刻ｔ３００）で、流路切替部材３５０によって、ノズル３１０から噴射された水の供給先を、リム部１２０からタンク２０へと切り替えを行うことで、リム部１２０から水が溢れてしまうことを防止している。
【０１１２】
尚、第三工程の開始時（時刻ｔ２００）は、リム部１２０の水の滞留は抑制されているものの、少なくとも水が存在している状態ではあるため、第一工程よりは溢れタイミングが早くなる。そこで、本実施形態では、第三工程の時間が第一工程の時間よりも短くなる（Ｔ1＞Ｔ2）ように設定することによって、第三工程での溢れを防止している。これによって、第三工程において、リム部１２０から水が溢れることを防止しながら、洗浄性能を向上させることが可能となる。
【０１１３】
以上のように、本実施形態に係る水洗大便器装置ＦＴでは、リム部１２０に水を供給している期間（時刻ｔ０から時刻ｔ２００まで）の全体において、リム部１２０から水が溢れてしまうことを確実に防止しながら、可能な限り大流量の水をリム部１２０（吐水部１３３、１３５）に供給することが可能となっている。その結果、高い洗浄性能と節水性能とが確保されている。
【０１１４】
尚、スロート管３２０の内部に気泡を混入させる箇所としては、本実施形態のように上昇部３２２とする態様の他、下降部３２４とすることも考えられる。しかしながら、下降部３２４において空気を混入させる構成としてしまうと、タンク２０内を満水位とすることができなくなってしまう。タンク２０内が満水位のときにおいては導入口３３２が水没しており、導入口３３２から下降部３２４内に流入した水が、重力によってそのままリム部１２０に供給されてしまうからである。
【０１１５】
そこで、水洗大便器装置ＦＴでは、下降部３２４よりも上流側の箇所において空気を混入させるように構成されている。このような構成により、洗浄時ではないにも拘らずタンク２０内の水が導入口３３２からスロート管３２０に流入し、そのまま大便器本体１０側に流出してしまうようなことが防止されている。
【０１１６】
また、スロート管３２０の内部に気泡を混入させる箇所としては、例えば吸引口３２１よりも上流側とする態様も考えられる。この場合、空気導入管３３１の下端は、ノズル３１０と吸引口３２１との間となる位置に配置されることとなる。しかしながら、このような構成とした場合には、空気導入管３３１の下端が、吸引口３２１からスロート管３２０の内部に流入する水の流れを妨げてしまい、ジェットポンプ作用が妨げられてしまうおそれがある。その結果、（特に第一工程において）リム部１２０に供給される水の流量が低下してしまうおそれがある。
【０１１７】
そこで、水洗大便器装置ＦＴでは、空気導入管３３１の導入口３３２から導入された空気が、吸引口３２１よりも下流側となる位置において、ジェットポンプ作用によって生じている水流に混入される構成となっている。このような構成により、吸引口３２１からスロート管３２０の内部に流入する水の流れを空気導入管３３１が妨げてしまうことが防止される。その結果、第一工程におけるジェットポンプ作用が妨げられることがなく、大流量の水がリム部１２０に供給されるため、高い洗浄性能を確保することが可能となっている。
【０１１８】
ところで、流路状態切替手段３３０としては、ジェットポンプユニット３００のうち吸引口３２１よりも上流側の流路状態を変更し、これにより第二工程におけるジェットポンプ作用を抑制するような態様のものが考えられる。例えば、ノズル３１０から噴射される水の流量Ｑjetを減少させることにより、第二工程におけるジェットポンプ作用を抑制するような態様とすることも考えられる。その他、ノズル３１０と吸引口３２１との間の部分における流路抵抗を増加させることにより、第二工程におけるジェットポンプ作用を抑制するような態様とすることも考えられる。
【０１１９】
しかしながら、スロート管３２０の内部を流れる水の流量は、ノズル３１０から噴射された水の流量Ｑjetをジェットポンプ作用によって増大（増幅）させたものである。従って、ノズル３１０から噴射される水の流量Ｑjetを僅かに減少させただけで、スロート管３２０の内部を流れる水の流量は大きく減少してしまう。同様に、ノズル３１０と吸引口３２１との間の部分における流路抵抗を僅かに増加させただけでも、スロート管３２０の内部を流れる水の流量は大きく減少してしまう。
【０１２０】
このように、吸引口３２１よりも上流側の流路状態を変更して、これにより流量Ｑ1から適切な流量Ｑ2（図８参照）に変化させることは容易ではない。このような態様とした場合には、第二工程においてリム部１２０に供給される水の流量が小さくなり過ぎて、必要な洗浄性能を確保できない場合が生じ得る。
【０１２１】
そこで、水洗大便器装置ＦＴにおいては、流路状態切替手段３３０は、ジェットポンプユニット３００のうちノズル３１０や吸引口３２１よりも下流側（本実施形態では上昇部３２２の内部）の流路状態を切り替えるものとして構成されている。このような構成により、スロート管３２０の内部を流れる水の流量を適切に調整することが容易となっている。その結果、第二工程においてリム部１２０に供給される水の流量が小さくなりすぎてしまうことを防止している。
【０１２２】
また、流路状態切替手段３３０としては、ジェットポンプユニット３００のうち下降部３２４の流路状態を変更し、これにより第二工程におけるジェットポンプ作用を抑制するような態様のものも考えられる。しかしながら、下降部３２４を下方に向かって流れる水流には重力が働いており、例えば下降部３２４の流路抵抗を多少増加させた程度では、流量は殆ど減少しない。このように、下降部３２４の流路状態を変更し、これにより第二工程におけるジェットポンプ作用を抑制することは困難である。
【０１２３】
そこで、水洗大便器装置ＦＴでは、流路状態切替手段３３０は、ジェットポンプユニット３００のうち、下降部３２４よりも上流側（本実施形態では上昇部３２２の内部）の流路状態を切り替えるものとして構成されている。このような構成により、流路状態切替手段３３０によって流路状態を切り替えて、スロート管３２０の内部を流れる水の流量を適切に調整することが更に容易なものとなっている。
【０１２４】
続いて、本発明の第二実施形態に係る水洗大便器装置ＦＴａについて説明する。水洗大便器装置ＦＴａは、スロート管３２０ａに設けられた流路状態切替手段３３０ａの態様において水洗大便器装置ＦＴと異なっているが、他の構成については水洗大便器装置ＦＴと同一となっている。このため、以下では、水洗大便器装置ＦＴと共通する構成についてはその説明を省略する。
【０１２５】
図９は、水洗大便器装置ＦＴａのうち、ジェットポンプユニット３００ａの構成を説明するための図である。図９（Ａ）に示したように、水洗大便器装置ＦＴａのスロート管３２０ａの上昇部３２２ａのうち、その流路方向に沿って略中央となる位置には、流路状態切替手段３３０ａが設けられている。
【０１２６】
本実施形態では、流路状態切替手段３３０ａとして、開閉板３３６ａが上昇部３２２ａに接続されている。開閉板３３６ａは、略Ｌ字型の形状をした板であり、スロート管３２０ａの側面に沿った円弧状の側面部３３７ａと略Ｕ字型の形状をした底面部３３８ａとから構成されている。側面部３３７ａは上端で上昇部３２２ａに接続し、制御部３３４ａは当該接続点を中心に開閉板３３６ａを回転させる。また、底面部３３８ａは吸引口３２１ａの一部を塞ぐことができるようになっている。
【０１２７】
制御部３３４ａは、タンク２０ａ内の水位が第一水位以下の場合に、開閉板３３６ａを回転させ、底面部３３８ａによって吸引口３２１ａの一部を塞ぎ、また、タンク２０ａ内の水位が第二水位以下となると、再度、開閉板３３６ａを回転させ、吸引口３２１ａを開くように制御する。本実施形態では、第一水位は、満水位以下であって吸引口３２１ａより高い水位をいい、第二水位は、第一水位未満であって吸引口３２１ａより高い水位をいう。
【０１２８】
図９（Ａ）は、リム部１２０ａに水が供給され始めた直後における、ジェットポンプユニット３００ａの流路状態を模式的に示している。タンク２０ａ内の水位は満水位から低下し始めているが、第一水位よりも高い。このため、制御部３３４ａは開閉板３３６ａを回転させないため、吸引口３２１ａは開いた状態となっている。
【０１２９】
スロート管３２０ａの内部においては、ノズル３１０ａの噴射口３１１ａから噴射された水だけでなく、吸引口３２１ａの周囲から引き込まれた水も流れる。その結果、ノズル３１０ａからの水の噴射が開始されてから、タンク２０ａ内の水位が低下して第一水位となるまでの期間においては、上記のように大流量の水がリム部１２０ａに供給される。
【０１３０】
水洗大便器装置ＦＴの場合と同様に、タンク２０ａ内の水位が第一水位まで低下すると第一工程は終了し、第二工程に移行する。このとき、制御部３３４ａによって開閉板３３６ａが回転し、吸引口３２１ａの一部が底面部３３８ａによって塞がれる状態となる。
【０１３１】
図９（Ｂ）は、このときにおけるジェットポンプユニット３００ａの流路状態を模式的に示している。ノズル３１０ａからは継続して水が噴射されているが、吸引口３２１ａが塞がれているため、ジェットポンプ作用により吸引口３２１ａから引き込まれる水流の量が抑制される。すなわち、リム部１２０ａに供給される水の流量が、第一工程における流量よりも低下している。
【０１３２】
その後、更にタンク２０ａ内の水位が低下して、第二水位まで低下すると、制御部３３４ａが再度開閉板３３６ａを回転させることで、吸引口３２１ａが再び開いた状態になる。
【０１３３】
図９（Ｃ）は、このときにおけるジェットポンプユニット３００ａの流路状態を模式的に示している。ノズル３１０ａからは継続して水が噴射されており、吸引口３２１ａから大量の水がジェットポンプ作用によって吸引されているため、図９（Ｃ）においてはスロート管３２０ａの内部を流れる水の流量が第二工程よりも増加している。すなわち、リム部１２０ａに供給される水の流量が、図９（Ｂ）における流量よりも増加している。
【０１３４】
その後は、タンク２０ａ内の水位が更に低下し、タンク２０ａ内の水位が吸引口３２１ａの近傍（第三水位）となるまでリム部１２０ａへの水の供給が行われる。タンク２０ａ内の水位が第三水位まで低下すると、第三工程は終了し、流路切替部材３５０ａの動作によってタンク２０ａ内への水の貯留が開始される。
【０１３５】
以上の説明及び図９からも明らかなように、本実施形態においても、第一工程から第二工程に切り替わる時点でジェットポンプ作用が抑制され、リム部１２０ａに供給される水の流量が急激に小さくなる。続く第三工程では、ジェットポンプ作用の抑制が解除され、再び大流量の水がリム部１２０ａに供給されるようになる。
【０１３６】
このように、第一工程においては、可能な限り大流量且つ一定の水をリム部１２０ａに供給する一方で、第二工程においては流量を低下させ、更に第三工程では再び流量を増加させている。このため、リム部１２０ａから水が溢れることを防止しながら、可能な限り大流量の水をリム部１２０ａに供給することが可能となっている。
【０１３７】
続いて、本発明の第三実施形態に係る水洗大便器装置ＦＴｂについて説明する。水洗大便器装置ＦＴｂは、スロート管３２０ｂに設けられた流路状態切替手段３３０ｂの態様において水洗大便器装置ＦＴと異なっているが、他の構成については水洗大便器装置ＦＴと同一となっている。このため、以下では、水洗大便器装置ＦＴと共通する構成についてはその説明を省略する。
【０１３８】
図１０は、水洗大便器装置ＦＴｂのうち、ジェットポンプユニット３００ｂの構成を説明するための図である。図１０（Ａ）に示したように、上昇部３２２ｂのうち、その流路方向に沿って略中央となる位置には、開口部３２５ｂが設けられている。開口部３２５ｂは、タンク２０ｂ内の水位が満水位のときにおいては全体が水没する位置に形成されている。また、開口部３２５ｂの下端の高さは吸引口３２１ｂよりも高くなっている。さらに、上昇部２２２ｂは、さらに開閉板３３６ｂと、開口部３２５ｂよりも流路方向に沿って下流側において接続している。開閉板３３６ｂは、先端にフロート３３９ｂを有し、また開口部３２５ｂと対向する位置において、凸部３４０ｂを有しており、当該凸部３４０ｂによって開口部３２５ｂを塞ぐことができる構成となっている。
【０１３９】
図１０（Ａ）は、リム部１２０ｂに水が供給され始めた直後における、ジェットポンプユニット３００ｂの流路状態を模式的に示している。タンク２０ｂ内の水位は満水位から低下し始めているが、フロート３３９ｂは水没した位置にある。そのため、フロート３３９ｂが受ける浮力によって開閉板３３６ｂは回転し、下降部３２４ｂの外側面から離れた状態となっている。このため、開口部３２５ｂは水没した位置にあって、凸部３４０ｂによって塞がれていない状態となっている。
【０１４０】
スロート管３２０ｂの内部においては、ノズル３１０ｂの噴射口３１１ｂから噴射された水だけでなく、吸引口３２１ｂの周囲から引き込まれた水も流れる。その結果、ノズル３１０ｂからの水の噴射が開始されてから、タンク２０ｂ内の水位が低下して開口部３２５ｂの上端の位置（第一水位）となるまでの期間（第一工程）においては、上記のように大流量の水がリム部１２０ｂに供給される。
【０１４１】
水洗大便器装置ＦＴの場合と同様に、タンク２０ｂ内の水位が第一水位（開口部３２５ｂの上端の位置）まで低下すると第一工程は終了し、第二工程に移行する。このとき、フロート３３９ｂは依然として水没しているため、開閉板３３６ｂは浮いた状態にあり、開口部３２５ｂは凸部３４０ｂによって塞がれていない。しかし開口部３２５ｂの上端よりも水位が低い位置にあるため、開口部３２５ｂから空気が流入し得る状態となっている。
【０１４２】
図１０（Ｂ）は、このときにおけるジェットポンプユニット３００ｂの流路状態を模式的に示している。ノズル３１０ｂからは継続して水が噴射され、スロート管３２０ｂの内部では水流が生じてはいるが、当該水流には、開口部３２５ｂからの空気が混入している。すなわち、スロート管３２０ｂの内部に混入した空気がジェットポンプ作用を抑制するため、図１０（Ｂ）においてはスロート管３２０ｂの内部を流れる水の流量が低下している。
【０１４３】
その後、更にタンク２０ｂ内の水位が低下して、フロート３３９ｂよりも低い位置（第二水位）まで低下すると、開閉板３２６ｂが閉じられ、凸部３４０ｂによって開口部３２５ｂが塞がれた状態となる。
【０１４４】
図１０（Ｃ）は、このときにおけるジェットポンプユニット３００ｂの流路状態を模式的に示している。開口部３２５ｂが閉じられているため、スロート管３２０ｂに空気は混入せず、ジェットポンプ作用の抑制は解除されている。そのため、図１０（Ｃ）においては、スロート管３２０ｂの内部を流れる水の流量が第二工程よりも増加している。すなわち、リム部１２０ｂに供給される水の流量が、図１０（Ｂ）における流量よりも増加している。
【０１４５】
その後は、タンク２０ｂ内の水位が更に低下し、タンク２０ｂ内の水位が吸引口３２１ｂの近傍（第三水位）となるまでリム部１２０ｂへの水の供給が行われる。タンク２０ｂ内の水位が第三水位まで低下すると、第三工程は終了し、流路切替部材３５０ｂの動作によってタンク２０ｂ内への水の貯留が開始される。
【０１４６】
以上の説明及び図１０からも明らかなように、本実施形態においても、第一工程から第二工程に切り替わる時点でジェットポンプ作用が抑制され、リム部１２０ｂに供給される水の流量が急激に小さくなる。続く第三工程では、ジェットポンプ作用の抑制が解除され、再び大流量の水がリム部１２０ｂに供給されるようになる。
【０１４７】
このように、第一工程においては、可能な限り大流量且つ一定の水をリム部１２０ｂに供給する一方で、第二工程においては流量を低下させ、更に第三工程では再び流量を増加させている。このため、リム部１２０ｂから水が溢れることを防止しながら、可能な限り大流量の水をリム部１２０ｂに供給することが可能となっている。
【０１４８】
続いて、本発明の第四実施形態に係る水洗大便器装置ＦＴｃについて説明する。水洗大便器装置ＦＴｃは、水洗大便器装置ＦＴと同様に、流路状態切替手段３３０ｃとして、スロート管３２０ｃの上昇部３２２ｃに空気導入管３３１ｃが設けられている。また、空気導入管３３１ｃの略中央となる位置には、切替栓３３３ｃが設けられており、制御部３３４ｃによって開閉が制御されている。以下では、水洗大便器装置ＦＴと共通する構成についてはその説明を省略する。
【０１４９】
図１１及び図１２を参照しながら、リム部１２０ｃへ洗浄水として供給される水の流量について説明する。図１１は、ジェットポンプユニット３００ｃの構造及び動作を説明するための図であって、ジェットポンプユニット３００ｃの流路状態が切り替わる様子を模式的に示している。図１２は、リム部１２０ｃに供給される水の流量の変化を示すグラフである。
【０１５０】
図１１（Ａ）は、リム部１２０ｃに水が供給され始めた直後（時刻ｔ０）における、ジェットポンプユニット３００ｃの流路状態を模式的に示している。タンク２０ｃ内の水位は満水位から低下し始めているが、空気導入管３３１ｃの導入口３３２ｃは切替栓３３３によって塞がれている。
【０１５１】
スロート管３２０ｃの内部においては、ノズル３１０ｃの噴射口３１１ｃから噴射された水だけでなく、吸引口３２１ｃの周囲から引き込まれた水も流れる。その結果、ジェットポンプ作用による大流量（Ｑjet＋Ｑtank1）の水がリム部１２０ｃへ洗浄水として供給される。
【０１５２】
ノズル３１０ｃからの水の噴射が開始されてから（時刻ｔ０）、タンク２０ｃ内の水位が低下して水位センサ３３５ｃが、導入口３３２ｃよりも低い所定の水位（第一水位）を検出するまでの期間においては、上記のように大流量の水がリム部１２０ｃに供給される。
【０１５３】
水洗大便器装置ＦＴの場合と同様に、タンク２０ｃ内の水位が第一水位まで低下すると第一工程は終了（時刻ｔ１００）し、第二工程に移行する。このとき、上昇部３２２ｃの内部（空気導入管３３１ｃの下端部近傍）においては水流による負圧が生じている。制御部３３４ｃが切替栓３３３ｃを開くことで、導入口３３２ｃが水面上に現れている（切替栓３３３ｃで塞がれていない）ため、導入口３３２ｃからは負圧によって空気が流入するようになる。
【０１５４】
図１１（Ｂ）は、このとき（時刻ｔ１００）におけるジェットポンプユニット３００ｃの流路状態を模式的に示している。ノズル３１０ｃからは継続して水が噴射されており、スロート管３２０ｃの内部ではジェットポンプ作用による水流が生じてはいるが、当該水流には空気導入管３３１ｃからの空気が混入している。
【０１５５】
その結果、図１１（Ａ）に示した状態と比較すると、スロート管３２０ｃの内部に混入した空気がジェットポンプ作用を抑制するため、図１１（Ｂ）においてはスロート管３２０ｃの内部を流れる水の流量が低下している。すなわち、リム部１２０ｃに供給される水の流量（Ｑjet＋Ｑtank2）が、第一工程における流量（Ｑjet＋Ｑtank1）よりも低下している。
【０１５６】
水洗大便器装置ＦＴの場合と同様に、その後更にタンク２０ｃ内の水位が低下して、第二水位となる（時刻ｔ２００）と、制御部３３４ｃが再度、切替栓３３３ｃを制御して空気導入管３３１ｃの一部を閉じる。
【０１５７】
図１１（Ｃ）は、このときにおけるジェットポンプユニット３００ｃの流路状態を模式的に示している。ノズル３１０ｃからは継続して水が噴射されており、上昇部３２２ｃの内部（空気導入管３３１ｃの下端部近傍）においては水流による負圧が生じている。しかし本実施形態では、水洗大便器装置ＦＴの場合とは異なり、第三工程において、空気導入管３３１ｃは一部しか閉じられていないため、当該空気導入管３３１ｃから負圧によって依然として空気が流入している。
【０１５８】
その結果、図１１（Ｂ）に示した状態と比較すると、ジェットポンプ作用の抑制が和らぎ、図１１（Ｃ）においては、スロート管３２０ｃの内部を流れる水の流量（Ｑjet＋Ｑtank3）が第二工程の流量（Ｑjet＋Ｑtank2）に比べて増加している。しかし、図１１（Ａ）に示した状態と比較した場合、空気が混入することによりジェットポンプ作用は抑制されているため、図１１（Ａ）においては、スロート管３２０ｃの内部を流れる水の流量（Ｑjet＋Ｑtank3）は最大でも第一工程の流量（Ｑjet＋Ｑtank1）よりは小さい。このように本実施形態における第三工程においては、第一工程よりは小さく第二工程よりは大きい流量の水が、リム部１２０ｃへと供給される。
【０１５９】
第三工程は、水洗大便器装置ＦＴの場合と同様に、タンク２０ｃ内の水位が更に低下して、流路切替部材３５０ｃが図４（Ｂ）に示した状態となるまで継続される。
【０１６０】
このように、第三工程の開始時は、第二工程においてジェットポンプ作用が抑制されていた結果、リム部の水の滞留は抑制されているものの、少なくとも水が存在している状態ではある。そのため、第一工程の開始時よりは溢れタイミングが早くなる。そこで、本実施形態では、第三工程の流量を第一工程の流量よるも少なく設定することで、第三工程での溢れを防止することができる。
【０１６１】
以上の説明及び図１１からも明らかなように、本実施形態においても、第一工程から第二工程に切り替わる時点でジェットポンプ作用が抑制され、リム部１２０ｃに供給される水の流量が急激に小さくなる。続く第三工程では、ジェットポンプ作用の抑制が和らぎ、再び大流量の水がリム部１２０ｃに供給されるようになる。
【０１６２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１６３】
１０                                        大便器本体
２０、２０ａ、２０ｂ、２０ｃ                       タンク
１１０                                      ボウル部
１２０、１２０ａ、１２０ｂ、１２０ｃ               リム部
１３０                                      導水路
１３１                                      入口
１３２                                      第一導水路
１３３                                      吐水部
１３４                                      第二導水路
１３５                                      吐水部
１４０                                      排水トラップ管路
１４１                                      上昇流路
１４２                                      下降流路
２０１                                      上蓋
２１０                                      第一タンク部
２１１                                      底壁
２１２                                      開口
２１３                                      前側壁面
２１４                                      左側壁面
２２０                                      第二タンク部
２２１                                      底壁
２２２ｂ                                     上昇部
２３１                                      給水管
２３２                                      定流量弁
２３３                                      主弁
２３４                                      パイロット弁
２３５                                      バキュームブレーカー
２３６                                      手動レバー
２３７                                      伝達機構
２３８                                      フロート
２３９                                      接続管
２４０                                      隔壁
２４１                                      開閉窓
２６０                                      小タンク
３００、３００ａ、３００ｂ、３００ｃ               ジェットポンプユニット
３１０、３１０ａ、３１０ｂ、３１０ｃ               ノズル
３１１、３１１ａ、３１１ｂ、３１１ｃ               噴射口
３２０、３２０ａ、３２０ｂ、３２０ｃ               スロート管
３２１、３２１ａ、３２１ｂ、３２１ｃ               吸引口
３２２、３２２ａ、３２２ｂ、３２２ｃ               上昇部
３２３                                      屈曲部
３２４、３２４ｂ                            下降部
３２５ｂ                                      開口部
３２６ｂ                                      開閉板
３３０、３３０ａ、３３０ｂ                    流路状態切替手段
３３１、３３１ｃ     空気導入管
３３２、３３２ｃ                              導入口
３３３、３３３ｃ                              切替栓
３３４、３３４ａ、３３４ｃ                    制御部
３３５、３３５ｃ                              水位センサ
３３６ａ、３３６ｂ                           開閉板
３３７ａ                                      側面部
３３８ａ                                      底面部
３３９ｂ                                      フロート
３４０ｂ                                      凸部
３５０、３５０ａ、３５０ｂ、３５０ｃ               流路切替部材
３５１                                      フロート
３５２                                      切り替え板
ＡＲ１、ＡＲ２、ＡＲ３、ＡＲ４              矢印
ＦＴ、ＦＴａ、ＦＴｂ、ＦＴｃ                       水洗大便器装置
ＳＷ                                        排水管
ＷＴ                                        封水
【図１】
2015067968.tif 000003
【図２】
2015067968.tif 000004
【図３】
2015067968.tif 000005
【図４】
2015067968.tif 000006
【図５】
2015067968.tif 000007
【図６】
2015067968.tif 000008
【図７】
2015067968.tif 000009
【図８】
2015067968.tif 000010
【図９】
2015067968.tif 000011
【図１０】
2015067968.tif 000012
【図１１】
2015067968.tif 000013
【図１２】
2015067968.tif 000014